(57)【要約】  電子機器は、内蔵バッテリ（９３）と、第１バッテリ（９１）を係止する第１ラッチと、第２バッテリ（９２）を係止する第２ラッチを設ける。また、第１バッテリ（９１）と第２バッテリ（９２）のうちから、自機に電力を供給するバッテリを択一的に選択する第１スイッチ（２１１）と、内蔵バッテリ（９３）からの自機に対する電力の供給の有無を切り替える第２スイッチ（２１２）を設ける。また、第１ラッチおよび第２ラッチの開閉を検出するラッチ開閉検出部と、第１バッテリ（９１）および第２バッテリ（９２）の残量を検出するバッテリ残量検出部（１９５）と、第１スイッチ（２１１）および第２スイッチ（２１２）を制御する電力制御部を設ける。さらに、電力制御部は、ラッチ開閉検出部（１７０）、および、バッテリ残量検出部（１９５）による検出結果に基づいて第１スイッチ（２１１）および第２スイッチ（２１２）を制御する。
2016113809.tif 000002
【特許請求の範囲】
【請求項１】
バッテリから供給される電力により動作可能な電子機器であって、
第１バッテリを脱着可能に装着する第１装着部と、
前記第１バッテリと異なる第２バッテリを脱着可能に装着する第２装着部と、
本体に内蔵された内蔵バッテリと、
前記第１装着部に装着された前記第１バッテリと前記第２装着部に装着された前記第２バッテリのうちから、自機に電力を供給するバッテリを択一的に選択する第１スイッチと、
前記内蔵バッテリからの前記自機に対する電力の供給の有無を切り替える第２スイッチと、
前記第１装着部に装着された前記第１バッテリを係止する第１ラッチと、
前記第２装着部に装着された前記第２バッテリを係止する第２ラッチと、
前記第１ラッチおよび前記第２ラッチの開閉を検出するラッチ開閉検出部と、
前記第１バッテリおよび前記第２バッテリの残量を検出するバッテリ残量検出部と、
前記第１スイッチおよび前記第２スイッチを制御する電力制御部と、を有し、
前記電力制御部は、前記ラッチ開閉検出部、および、前記バッテリ残量検出部による検出結果に基づいて前記第１スイッチおよび前記第２スイッチを制御する、ことを特徴とする電子機器。
【請求項２】
前記電力制御部は、前記ラッチ開閉検出部が前記第１ラッチおよび前記第２ラッチの少なくともいずれか一方の開放を検出すると、前記内蔵バッテリが電力を自機に供給可能なように前記第２スイッチを制御するとともに、前記バッテリ残量検出部による検出結果に基づいて前記第１バッテリおよび前記第２バッテリのうち電力供給可能なバッテリから自機に電力が供給されるように前記第１スイッチを制御する、ことを特徴とする請求項１に記載の電子機器。
【請求項３】
前記電力制御部は、
前記バッテリ残量検出部が前記第１バッテリの容量に対する前記第１バッテリの残量の比が所定値よりも大きいことを検出した場合に、前記第１バッテリから自機に電力を供給可能であると判断し、
前記バッテリ残量検出部が前記第２バッテリの容量に対する前記第２バッテリの残量の比が所定値よりも大きいことを検出した場合に、前記第２バッテリから自機に電力を供給可能であると判断する、ことを特徴とする請求項２に記載の電子機器。
【請求項４】
前記電力制御部は、前記バッテリ残量検出部による検出結果が前記第２バッテリから自機に電力供給可能であることを示している場合において、前記ラッチ開閉検出部が前記第１ラッチの開放を検出すると、前記第２バッテリが電力を自機に供給可能なように前記第１スイッチを制御する、ことを特徴とする請求項１に記載の電子機器。
【請求項５】
前記電力制御部は、
前記バッテリ残量検出部が前記第２バッテリの残量の前記第２バッテリの容量に対する比が所定値よりも大きいことを検出した場合に、前記第２バッテリから自機に電力を供給可能であると判断する、ことを特徴とする請求項４に記載の電子機器。
【請求項６】
さらに、前記第１バッテリおよび前記第２バッテリの前記第１装着部および前記第２装着部に対する装着の有無を検出するバッテリ接続検出部を有し、
前記内蔵バッテリが電力を自機に供給可能なように前記第２スイッチが制御されている状態において、
前記バッテリ接続検出部による検出結果が、前記第１バッテリが前記第１バッテリ装着部に装着されたことを示すと、前記電力制御部は、前記第１バッテリが電力を自機に供給可能なように前記第１スイッチを制御し、
前記バッテリ接続検出部による検出結果が、前記第２バッテリが前記第２バッテリ装着部に装着されたことを示すと、前記電力制御部は、前記第２バッテリが電力を自機に供給可能なように前記第１スイッチを制御する、ことを特徴とする請求項１に記載の電子機器。
【請求項７】
さらに、自機の動作を制御する中央演算処理部を有し、
前記第２バッテリが供給可能な電力は、前記第１バッテリが供給可能な電力よりも小さく、
前記第２バッテリから電力が供給されているときには、前記電力制御部は、前記中央演算処理部による電力消費が低減されるように前記中央演算処理部を制御する、ことを特徴とする請求項１から６のいずれか１項に記載の電子機器。
【請求項８】
さらに、自機の動作を制御する中央演算処理部と、
情報を表示する表示部と、を有し、
前記内蔵バッテリから電力が供給されているときには、前記電力制御部は、前記中央演算処理部および前記表示部の少なくともいずれか一方による電力消費が低減されるように前記中央演算処理部および前記表示部を制御する、ことを特徴とする請求項１から６のいずれか１項に記載の電子機器。
【請求項９】
さらに、情報を表示する表示部を有し、
前記内蔵バッテリから電力が供給されているときには、前記電力制御部は、前記中央演算処理部および前記表示部の少なくともいずれか一方による電力消費が低減されるように前記中央演算処理部および前記表示部を制御する、ことを特徴とする請求項７に記載の電子機器。
【発明の詳細な説明】
【技術分野】
【０００１】
本開示は、バッテリ駆動可能な電子機器に関する。
【背景技術】
【０００２】
特許文献１は、２つのバッテリを搭載可能な無線通信装置を開示する。この無線通信装置は、着脱可能な第２のバッテリが脱離した場合、内蔵する第１のバッテリからの電力を受けて所定の動作モードで動作する。【０００３】
特許文献２は、２つの着脱容易なバッテリを接続可能な情報処理装置を開示する。この情報処理装置は、２つのバッテリそれぞれの収納部に設けられた２つの蓋部の開閉を検出し、検出結果に基づいて、電力供給を受けるバッテリを切り換える。
【先行技術文献】
【特許文献】
【０００４】
【特許文献１】特開２０１０−１３０２５８号公報
【特許文献２】特開２００９−２６８３４１号公報
【発明の概要】
【０００５】
本開示における電子機器は、バッテリから供給される電力により動作可能な電子機器であって、第１バッテリを脱着可能に装着する第１装着部と、第１バッテリと異なる第２バッテリを脱着可能に装着する第２装着部と、本体に内蔵された内蔵バッテリを設ける。また、第１装着部に装着された第１バッテリと第２装着部に装着された第２バッテリのうちから、自機に電力を供給するバッテリを択一的に選択する第１スイッチと、内蔵バッテリからの自機に対する電力の供給の有無を切り替える第２スイッチを設ける。また、第１装着部に装着された第１バッテリを係止する第１ラッチと、第２装着部に装着された第２バッテリを係止する第２ラッチと、第１ラッチおよび第２ラッチの開閉を検出するラッチ開閉検出部を設ける。さらに、第１バッテリおよび第２バッテリの残量を検出するバッテリ残量検出部と、第１スイッチおよび第２スイッチを制御する電力制御部を有し、電力制御部が、ラッチ開閉検出部、および、バッテリ残量検出部による検出結果に基づいて第１スイッチおよび第２スイッチを制御する。
【０００６】
本開示における電子機器は、複数の、例えば３つの、バッテリを用いて長時間連続して動作することができる。
【図面の簡単な説明】
【０００７】
【図１】図１は、第１の実施の形態における電子機器の斜視図である。
【図２】図２は、第１の実施の形態における電子機器の底面斜視図である。
【図３Ａ】図３Ａは、第１の実施の形態における電子機器の第１バッテリの脱離を説明するための図である。
【図３Ｂ】図３Ｂは、第１の実施の形態における電子機器の第１バッテリの装着を説明するための図である。
【図４Ａ】図４Ａは、第１の実施の形態における電子機器の第２バッテリの脱離を説明するための図である。
【図４Ｂ】図４Ｂは、第１の実施の形態における電子機器の第２バッテリの装着を説明するための図である。
【図５】図５は、第１の実施の形態における電子機器の構成を説明するブロック図である。
【図６】図６は、第１の実施の形態における電子機器の第１スイッチおよび第２スイッチの状態に関する状態遷移図である。
【図７】図７は、第１の実施の形態における電子機器の消費電力低減制御に関する処理のフローチャートである。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって請求の範囲に記載の主題を限定することを意図するものではない。
【００１０】
（第１の実施の形態）
以下、図１〜図７を用いて、第１の実施の形態を説明する。
【００１１】
［１−１．構成］
図１は、第１の実施の形態における電子機器の斜視図である。電子機器１は、所謂、パーソナルコンピュータである。同図に示されるように、パーソナルコンピュータである電子機器１は、本体２と、本体２の端部に回動自在に接続された表示部であるディスプレイ３と、本体２の上面に設けられたキーボード４およびポインティングデバイス５を有する。電子機器１は、図示しない記憶部を備える。この記憶部は、オペレーティングシステムや様々なアプリケーションソフトウェアのプログラムを格納している。電子機器１は、オペレーティングシステムやアプリケーションソフトウェアのプログラムを実行することで、利用者に様々な機能を提供することができる。
【００１２】
図２は、第１の実施の形態における電子機器の裏面の構成を示す斜視図である。電子機器１は、その側部に設けられた２つのスロットに第１バッテリ９１と第２バッテリ９２とを着脱可能に装着することができる。第１バッテリ９１および第２バッテリ９２はともに二次電池であり、装着および脱離が容易な構成となっている。なお、後述するように、電子機器１は、さらに、内蔵型の二次電池（内蔵バッテリ）を本体２内部に備える。つまり、電子機器１は、２つの脱着可能な二次電池と、内蔵型の二次電池との３つの二次電池を搭載することが可能である。
【００１３】
図２に示すように、電子機器１の裏面ほぼ中央部には、第１ラッチ７１、１つの発光ダイオード（ＬＥＤ）８、第２ラッチ７２が配置されている。第１ラッチ７１は、装着された第１バッテリ９１を本体２に係止する。第２ラッチ７２は、装着された第２バッテリ９２を本体２に係止する。第１ラッチ７１および第２ラッチ７２は、本体２の内部でバネ等の部材により付勢されており、利用者が第１ラッチ７１や第２ラッチ７２を開放する方向に力を加えない限り、第１ラッチ７１および第２ラッチ７２は閉状態を維持するように構成されている。ＬＥＤ８は、利用者に対し、第１バッテリ９１、および、第２バッテリ９２の少なくともいずれか一方を電子機器１の動作中に取り外して換装することができるか否かを通知するための発光素子である。すなわち、ＬＥＤ８は、利用者に対し、所謂ホットスワップ（Ｈｏｔ  Ｓｗａｐ）機能を利用できるか否かを通知するための発光素子である。
【００１４】
図３Ａは、第１の実施の形態における電子機器の第１バッテリ９１の脱離方法を説明する図である。第１バッテリ９１を電子機器１から脱離する場合、利用者は、第１ラッチ７１を矢印Ａ方向にスライドさせて第１ラッチ７１を開状態に維持しつつ第１バッテリ９１を本体２から矢印Ｂ方向に引き出すことにより、第１バッテリ９１を電子機器１から簡単に脱離することができる。
【００１５】
図３Ｂは、第１の実施の形態による電子機器の第１バッテリ９１の装着方法を説明する図である。第１バッテリ９１を電子機器１に装着する場合、利用者は、第１バッテリ９１を電子機器１の側部のスロットに矢印Ｃ方向に挿入することにより、第１バッテリ９１を電子機器１に簡単に装着することができる。
【００１６】
図４Ａは、第１の実施の形態による電子機器の第２バッテリ９２の脱離方法を説明する図である。第２バッテリ９２を電子機器１から脱離する場合、利用者は、第２ラッチ７２を矢印Ｄ方向にスライドさせて第２ラッチ７２を開状態に維持しつつ第２バッテリ９２を矢印Ｅ方向に引き出すことにより、第２バッテリ９２を電子機器１から簡単に脱離することができる。
【００１７】
図４Ｂは、第１の実施の形態による電子機器の第２バッテリ９２の装着方法を説明する図である。第２バッテリ９２を電子機器１に装着する場合、利用者は、第２バッテリ９２を電子機器１の側部のスロットに矢印Ｆ方向に挿入することにより、第２バッテリ９２を簡単に電子機器１に装着することができる。
【００１８】
図５は、第１の実施の形態による電子機器の構成を示すブロック図である。電子機器１は、自機のための電源として、ＡＣアダプタ９９、第１バッテリ装着部１９１に装着される第１バッテリ９１、第２バッテリ装着部１９２に装着される第２バッテリ９２、内蔵バッテリ９３を利用することが可能である。
【００１９】
第１バッテリ９１は、例えば、出力４５Ｗｈの二次電池である。第１バッテリ９１は、電子機器１がバッテリで駆動する際に優先的に使用される主バッテリである。第１バッテリ９１は、第１スイッチ２１１およびダイオード２０２を介して電力制御部２２１を含む負荷と接続されている。電子機器１は、第１スイッチ２１１を第１バッテリ９１側に設定することにより、第１バッテリ９１が保持する電力を利用することができる。
【００２０】
第２バッテリ９２は、例えば、出力３３Ｗｈの二次電池である。第２バッテリ９２は、第１バッテリ９１が使用できない場合等に使用される副バッテリである。第２バッテリ９２は、第１スイッチ２１１およびダイオード２０２を介して電力制御部２２１を含む負荷と接続されている。電子機器１は、第１スイッチ２１１を第２バッテリ９２側に設定することにより、第２バッテリ９２が保持する電力を利用することができる。
【００２１】
内蔵バッテリ９３は、例えば、出力７Ｗｈの二次電池である。内蔵バッテリ９３は、電子機器１の動作中に第１バッテリ９１や第２バッテリ９２を交換して装着する機能（ホットスワップ機能）を実現するためのブリッジバッテリである。内蔵バッテリ９３は、第２スイッチ２１２およびダイオード２０３を介して電力制御部２２１を含む負荷と接続されている。電子機器１は、第２スイッチ２１２をオンに設定することにより、内蔵バッテリ９３が保持する電力を利用することができる。なお、本実施の形態では、内蔵バッテリ９３は、本体からの取り外しが容易でない構成となっているが、内蔵バッテリ９３を本体から着脱可能な構成としてもよい。
【００２２】
ここで、ダイオード２０２とダイオード２０３とは、負荷に対して並列に接続されている。このような構成により、電子機器１がバッテリで動作する場合、ダイオード２０２およびダイオード２０３のうちでより高電位である側から負荷に対し電力が供給される。
【００２３】
バッテリ残量検出部１９５は、第１バッテリ９１および第２バッテリ９２それぞれの出力電圧を測定し、測定結果に基づいて、第１バッテリ９１および第２バッテリ９２それぞれの残量を検出する。バッテリ残量検出部１９５の検出結果は、電力制御部２２１へ送られる。なお、本実施の形態では、一つのバッテリ残量検出部１９５にて第１バッテリ９１および第２バッテリ９２の残量を検出しているが、第１バッテリ９１、第２バッテリ９２それぞれの残量を検出するバッテリ残量検出部１９５を複数設ける構成とすることも可能である。
【００２４】
ラッチ開閉検出部１７０は、第１ラッチ７１（図３Ａ参照）および第２ラッチ７２（図４Ａ参照）それぞれの開閉状態を検出する。ラッチ開閉検出部１７０の検出結果は、電力制御部２２１へ送られる。なお、本実施の形態において、開閉状態の検出方法に特に限定はない。なお、本実施の形態では、一つのラッチ開閉検出部１７０にて第１ラッチ７１および第２ラッチ７２の開閉状態を検出しているが、第１ラッチ７１、第２ラッチ７２それぞれの開閉状態を検出するためのラッチ開閉検出部１７０を複数設けてもよい。
【００２５】
なお、第１ラッチ７１が開状態であるということは、第１ラッチ７１を図３Ａに示す矢印Ａ方向にスライドさせた状態であり、第１バッテリ装着部１９１に対して第１バッテリ９１が着脱自在の状態にあるということである。第１ラッチ７１が閉状態であるということは、第１ラッチ７１に力が加えられていない状態であり、第１バッテリ装着部１９１に対して第１バッテリ９１は着脱不可の状態、少なくとも脱離は不可能な状態にあるということである。同様に、第２ラッチ７２が開状態であるということは、第２ラッチ７２を図４Ａに示す矢印Ｄ方向にスライドさせた状態であり、第２バッテリ装着部１９２に対して第２バッテリ９２が着脱自在の状態にあるということである。第２ラッチ７２が閉状態であるということは、第２ラッチ７２に力が加えられていない状態であり、第２バッテリ装着部１９２に対して第２バッテリ９２は着脱不可の状態、少なくとも脱離は不可能な状態にあるということである。
【００２６】
バッテリ接続検出部１９４は、第１バッテリ装着部１９１に第１バッテリ９１が装着されているか否かを検出するとともに、第２バッテリ装着部１９２に第２バッテリ９２が装着されているか否かを検出する。バッテリ接続検出部１９４の検出結果は、電力制御部２２１へ送られる。なお、本実施の形態において、接続の有無の検出方法に特に限定はない。なお、本実施の形態では、一つのバッテリ接続検出部１９４にて、第１バッテリ９１および第２バッテリ９２が装着されているか否かを、それぞれ検出している。しかし、第１バッテリ９１、第２バッテリ９２それぞれの装着を検出するバッテリ接続検出部１９４を複数設けてもよい。
【００２７】
電力制御部２２１は、電子機器１の電力制御を司るプロセッサである。電力制御部２２１は、例えば、ＥＣ（エンベデッドコントローラ（Ｅｍｂｅｄｄｅｄ  Ｃｏｎｔｒｏｌｌｅｒ））マイコンである。但し、電力制御部２２１は、ＥＣマイコンに限定されない。電力制御部２２１は、第１バッテリ９１等から供給される電力を受け、それを電子機器１の各部へ供給する。
【００２８】
併せて電力制御部２２１は、バッテリ残量検出部１９５、ラッチ開閉検出部１７０、および、バッテリ接続検出部１９４それぞれが出力する検出結果に基づいて、第１スイッチ２１１および第２スイッチ２１２を制御する。そうすることで、電力制御部２２１は、電力の供給元を第１バッテリ９１、第２バッテリ９２、および、内蔵バッテリ９３の間で切り換えることができる。後述するように、電力制御部２２１による第１スイッチ２１１および第２スイッチ２１２の制御は、電子機器１動作中におけるバッテリ交換（ホットスワップ（Ｈｏｔ  Ｓｗａｐ）機能）を可能にするとともに、電力供給元を主バッテリである第１バッテリ９１から副バッテリである第２バッテリ９２に自動的に切り換える機能を実現する。
【００２９】
また、電力制御部２２１は、後で図７を参照して詳述するように、表示部であるディスプレイ３およびそれを制御するディスプレイ制御部２３１や、中央演算処理部（ＣＰＵ２４１）の電力制御をすることができる。
【００３０】
また、電力制御部２２１は、バッテリ残量検出部１９５、ラッチ開閉検出部１７０、および、バッテリ接続検出部１９４それぞれの検出結果に基づいて、ＬＥＤ制御部２５１を制御することにより、ＬＥＤ８（図２参照）の点灯／消灯および発光色を制御する。
【００３１】
ディスプレイ制御部２３１は、電力制御部２２１およびＣＰＵ２４１の制御下で、ディスプレイ３の電力消費や表示を制御する回路である。
【００３２】
情報表示のための表示部を構成するディスプレイ３は、例えば、液晶ディスプレイである。なお、ディスプレイ３は、液晶ディスプレイに限定されない。
【００３３】
ＣＰＵ２４１は、電子機器１全体を制御する中央演算装置である。ＣＰＵ２４１は、図示しない記憶部に保持されたオペレーティングシステムやアプリケーションソフトウェアのプログラムを実行することにより、様々な機能を利用者に提供する。
【００３４】
ＬＥＤ制御部２５１は、電力制御部２２１の制御下で、本体２の底面に設けたＬＥＤ８の点灯／消灯、および、表示色を制御する回路である。
【００３５】
ＬＥＤ８は、複数色（例えば、赤と緑）で発光可能な発光ダイオードである。
【００３６】
［１−２．動作］
次に、図６の状態遷移図および図７のフローチャートを参照して、電子機器１の動作について説明する。図６は、電力制御部２２１による第１スイッチ２１１および第２スイッチ２１２の制御を説明するための状態遷移図である。図７は、電力制御部２２１によるＣＰＵ２４１およびディスプレイ３に対する消費電力低減制御を説明するためのフローチャートである。図６の状態遷移図に示した状態遷移や図７のフローチャートに示した処理は、電力制御部２２１が所定のプログラムを実行することにより実現される。
【００３７】
［１−２−１．状態Ｓ１について］
図６を参照すれば、先ず状態は、状態Ｓ１「第１バッテリ放電」になる。状態Ｓ１においては、電力制御部２２１は、第１スイッチ２１１を第１バッテリ９１側に制御し、第２スイッチ２１２をオフに制御する。これにより、状態Ｓ１においては、第１バッテリ９１から電子機器１に対し電力が供給される。
【００３８】
なお、電力制御部２２１は、以下に説明する全ての状態において、随時、バッテリ残量検出部１９５、ラッチ開閉検出部１７０、および、バッテリ接続検出部１９４からそれぞれの検出結果を受け取るものとする。
【００３９】
状態Ｓ１において、電力制御部２２１が、バッテリ残量検出部１９５、ラッチ開閉検出部１７０、および、バッテリ接続検出部１９４の検出結果に基づいて、「第１ラッチ７１が開、かつ第２バッテリ９２が使用不可」と判断すると、遷移Ｔ１２が発生し、状態Ｓ１から状態Ｓ２「第１バッテリおよび内蔵バッテリ放電」に遷移する。なお、「第２バッテリ９２が使用不可」とは、以下の２つの場合がある。ひとつは、第２バッテリ９２が第２バッテリ装着部１９２に装着されているがその残量がゼロ（殆どゼロ）（あるいは、第２バッテリの容量に対する第２バッテリの残量の比が所定値以下）という場合である。もうひとつは、第２バッテリ９２が第２バッテリ装着部１９２に装着されていない場合である。電力制御部２２１は、ラッチ開閉検出部１７０の検出結果に基づいて、「第１ラッチ７１が開」であるのか否かを判断し、バッテリ残量検出部１９５およびバッテリ接続検出部１９４の検出結果に基づいて、「第２バッテリ９２が使用不可である」のか否かを判断する。ここで、遷移Ｔ１２が発生するのは、「第１ラッチ７１が開、第２バッテリ９２が使用不可」で、状態Ｓ１で放電していた第１バッテリ９１の脱離の可能性あるいは第１バッテリ９１が使用不可となる可能性があるためである。そして、電子機器１への電力供給が途切れないように第１バッテリ９１の放電に内蔵バッテリ９３の放電が加えられて状態Ｓ２になる。
【００４０】
なお、「バッテリの脱離」とは、バッテリの接続がなされた状態からバッテリの接続が失われた状態への変化を指す。電力制御部２２１は、バッテリ接続検出部１９４の検出結果から「脱離」を検出する。
【００４１】
また、状態Ｓ１において、電力制御部２２１が、ラッチ開閉検出部１７０の検出結果に基づいて、「第２ラッチ７２が開」と判断した場合も、遷移Ｔ１２が発生し、状態Ｓ１から状態Ｓ２に遷移する。ここで、遷移Ｔ１２が発生するのは、「第２ラッチ７２が開」で、第２バッテリ９２の脱離または使用不可の第２バッテリ９２の装着の可能性が発生し、状態Ｓ１で放電していた第１バッテリ９１が使用不可となる可能性があるためである。そして、電子機器１への電力供給が途切れないように第１バッテリ９１の放電に内蔵バッテリ９３の放電が加えられて状態Ｓ２になる。
【００４２】
なお、「バッテリの装着」とは、バッテリが接続されていない状態からバッテリが接続された状態への変化を指す。電力制御部２２１は、バッテリ接続検出部１９４の検出結果から「装着」を検出する。
【００４３】
また、状態Ｓ１において、電力制御部２２１が、バッテリ残量検出部１９５、および、バッテリ接続検出部１９４の検出結果に基づいて、「第１バッテリ９１が使用不可、かつ第２バッテリ９２が使用可」と判断すると、遷移Ｔ１４が発生し、状態Ｓ１から状態Ｓ４「第２バッテリ放電」に遷移する。なお、「第１バッテリ９１が使用不可」とは、以下の２つの場合がある。ひとつは、第１バッテリ９１が第１バッテリ装着部１９１に装着されているがその残量がゼロ（殆どゼロ）（あるいは、第１バッテリの容量に対する第１バッテリの残量の比が所定値以下）という場合である。もうひとつは、第１バッテリ９１が第１バッテリ装着部１９１に装着されていない場合である。また、「第２バッテリ９２が使用可」とは、第２バッテリ９２が第２バッテリ装着部１９２に装着され、かつ第２バッテリ９２の残量がゼロ（殆どゼロ）（あるいは、第２バッテリ９２の容量に対する第２バッテリ９２の残量の比が所定値以下）でない場合を指す。電力制御部２２１は、バッテリ残量検出部１９５およびバッテリ接続検出部１９４の検出結果に基づいて、「第１バッテリ９１が使用不可」であるのか否か、および、「第２バッテリ９２が使用可」であるのか否かを判断する。ここで、遷移Ｔ１４が発生するのは、「第１バッテリ９１が使用不可、かつ第２バッテリ９２が使用可」で、使用不可の第１バッテリ９１の放電から使用可能な第２バッテリ９２の放電に切り換えて電子機器１への電力供給が途切れないようにするためである。
【００４４】
また、状態Ｓ１において、電力制御部２２１が、ラッチ開閉検出部１７０、および、バッテリ接続検出部１９４の検出結果に基づいて、「第１ラッチ７１が開、かつ第２バッテリ９２が使用可」と判断した場合も、遷移Ｔ１４が発生し、状態Ｓ１から状態Ｓ４に遷移する。ここで、遷移Ｔ１４が発生するのは、「第１ラッチが開、かつ第２バッテリ９２が使用可」で、第１バッテリ９１の脱離の可能性が発生し、放電を使用可能な第２バッテリ９２に切り換えて電子機器１への電力供給が途切れないようにするためである。
【００４５】
［１−２−２．状態Ｓ２について］
状態Ｓ２においては、電力制御部２２１は、第１スイッチ２１１を第１バッテリ９１側に制御し、第２スイッチ２１２をオンに制御する。これにより、状態Ｓ２においては、第１バッテリ９１と内蔵バッテリ９３とから電子機器１に電力が供給可能な状態になる。
【００４６】
状態Ｓ２において、電力制御部２２１が、バッテリ残量検出部１９５、ラッチ開閉検出部１７０、および、バッテリ接続検出部１９４の検出結果に基づいて、「第１バッテリ９１が使用可、かつ第１ラッチ７１が閉、かつ第２ラッチ７２が閉」と判断すると、遷移Ｔ２１が発生し、状態Ｓ２から状態Ｓ１に遷移する。なお、「第１バッテリ９１が使用可」とは、第１バッテリ９１が第１バッテリ装着部１９１に装着され、かつ第１バッテリ９１の残量がゼロ（殆どゼロ）（あるいは、第１バッテリ９１の容量に対する第１バッテリ９１の残量の比が所定値以下）でない場合を指す。電力制御部２２１は、バッテリ残量検出部１９５およびバッテリ接続検出部１９４の検出結果に基づいて、「第１バッテリが使用可」であるのか否かを判断する。ここで、遷移Ｔ２１が発生するのは、「第１バッテリ９１が使用可、かつ第１ラッチ７１が閉、かつ第２ラッチ７２が閉」で、第２バッテリ９２の脱離および装着が無く、使用可能な第１バッテリ９１の脱離の可能性が無いことから、第１バッテリ９１のみの放電により電子機器１への電力供給が継続できるからである。
【００４７】
また、状態Ｓ２において、電力制御部２２１が、バッテリ接続検出部１９４の検出結果に基づいて、「第２バッテリ９２の脱離または装着」を検出した場合には、状態Ｓ２を維持する（遷移Ｔ２２）。ここで、遷移Ｔ２２が発生するのは、「第２バッテリ９２の脱離または装着」で、第２バッテリ９２が使用不可となったり、使用不可の第２バッテリ９２が装着されたりする可能性があり、放電するバッテリを切り換える必要がないためである。
【００４８】
また、状態Ｓ２において、電力制御部２２１が、バッテリ残量検出部１９５、ラッチ開閉検出部１７０、および、バッテリ接続検出部１９４の検出結果に基づいて、「第１バッテリ９１が脱離、かつ第２バッテリ９２が使用不可」と判断すると、遷移Ｔ２３が発生し、状態Ｓ２から状態Ｓ３「内蔵バッテリ放電」に遷移する。ここでは、遷移Ｔ２３が発生するのは、「第１バッテリ９１が脱離、かつ第２バッテリ９２が使用不可」で、第１バッテリ９１および第２バッテリ９２が、いずれも電子機器１に電力を供給できない状態となるからであり、放電は内蔵バッテリ９３のみとなる。
【００４９】
［１−２−３．状態Ｓ３について］
状態Ｓ３においては、電力制御部２２１は、第２スイッチ２１２をオンに制御する。なお、第１スイッチ２１１の設定については、任意でよい。これにより、状態Ｓ３においては、内蔵バッテリ９３から電子機器１に電力が供給可能な状態になる。
【００５０】
状態Ｓ３において、電力制御部２２１は、バッテリ接続検出部１９４の検出結果に基づいて、「第１バッテリ９１の装着」を検出した場合、遷移Ｔ３２が発生し、状態Ｓ３から状態Ｓ２に遷移する。ここでは、遷移Ｔ３２が発生するのは、「第１バッテリ９１が装着」で、第１バッテリ９１の装着が確認されたものの、第１バッテリ９１が使用可であるのか使用不可であるのか確定されていないためであり、第１バッテリ９１と内蔵バッテリ９３による放電を行う。
【００５１】
また、状態Ｓ３において、電力制御部２２１は、バッテリ接続検出部１９４の検出結果に基づいて、「第２バッテリ９２の装着」を検出した場合、遷移Ｔ３５が発生し、状態Ｓ３から状態Ｓ５「第２バッテリおよび内蔵バッテリ放電」に遷移する。ここでは、遷移Ｔ３５が発生するのは、「第２バッテリ９２が装着」で、第２バッテリ９２の装着が確認されたものの、第２バッテリ９２が使用可であるのか使用不可であるのか確定されていないためであり、第２バッテリ９２と内蔵バッテリ９３による放電を行う。
【００５２】
［１−２−４．状態Ｓ４について］
状態Ｓ４においては、電力制御部２２１は、第１スイッチ２１１を第２バッテリ９２側に制御し、第２スイッチ２１２をオフに制御する。これにより、状態Ｓ４においては、第２バッテリ９２から電子機器１に対し電力が供給される。
【００５３】
状態Ｓ４において、電力制御部２２１が、バッテリ残量検出部１９５、および、バッテリ接続検出部１９４の検出結果に基づいて、「第１バッテリ９１が使用可、かつ第２バッテリ９２が使用不可」と判断すると、遷移Ｔ４１が発生し、状態Ｓ４から状態Ｓ１に遷移する。ここで、遷移Ｔ４１が発生するのは、「第１バッテリ９１が使用可、かつ第２バッテリ９２が使用不可」使用不可の第２バッテリ９２の放電から使用可能な第１バッテリ９１の放電に切り換えて電子機器１への電力供給が途切れないようにするためである。
【００５４】
また、状態Ｓ４において、電力制御部２２１が、バッテリ残量検出部１９５、ラッチ開閉検出部１７０、および、バッテリ接続検出部１９４の検出結果に基づいて、「第１バッテリ９１が使用可、かつ第１ラッチ７１が閉」と判断すると、遷移Ｔ４１が発生し、状態Ｓ４から状態Ｓ１に遷移する。ここで、遷移Ｔ４１が発生するのは、「第１バッテリ９１が使用可、かつ第１ラッチ７１が閉」で、使用可能な第１バッテリ９１の脱離の可能性が無いことから、主電源である第１バッテリ９１のみの放電により電子機器１への電力供給が継続できるからである。
【００５５】
また、状態Ｓ４において、電力制御部２２１が、ラッチ開閉検出部１７０の検出結果に基づいて、「第１ラッチ７１が開」と判断すると、遷移Ｔ４５が発生し、状態Ｓ４から状態Ｓ５「第２バッテリおよび内蔵バッテリ放電」に遷移する。ここで、遷移Ｔ４５が発生するのは、「第１ラッチ７１が開」で、第１バッテリ９１の脱離、または使用不可の第１バッテリ９１の装着の可能性が発生し、状態Ｓ４で放電していた第２バッテリ９２が使用不可となる可能性があるためである。そして、電子機器１への電力供給が途切れないように第２バッテリ９２の放電に内蔵バッテリ９３の放電が加えられて状態Ｓ５になる。
【００５６】
また、状態Ｓ４において、電力制御部２２１が、ラッチ開閉検出部１７０の検出結果に基づいて、「第２ラッチ７２が開」と判断した場合も、遷移Ｔ４５が発生し、状態Ｓ４から状態Ｓ５に遷移する。ここで、遷移Ｔ４５が発生するのは、「第２ラッチ７２が開」で、状態Ｓ４で放電していた第２バッテリ９２の脱離の可能性あるいは第２バッテリ９２が使用不可となる可能性があるためである。そして、電子機器１への電力供給が途切れないように第２バッテリ９２の放電に内蔵バッテリ９３の放電が加えられて状態Ｓ５になる。
【００５７】
［１−２−５．状態Ｓ５について］
状態Ｓ５においては、電力制御部２２１は、第１スイッチ２１１を第２バッテリ９２側に制御し、第２スイッチ２１２をオンに制御する。これにより、状態Ｓ５においては、第２バッテリ９２と内蔵バッテリ９３とから電子機器１に電力が供給可能な状態になる。
【００５８】
状態Ｓ５において、電力制御部２２１が、バッテリ残量検出部１９５、ラッチ開閉検出部１７０、および、バッテリ接続検出部１９４の検出結果に基づいて、「第２バッテリ９２が使用可、かつ第１ラッチ７１が閉、かつ第２ラッチ７２が閉」と判断すると、遷移Ｔ５４が発生し、状態Ｓ５から状態Ｓ４に遷移する。ここで、遷移Ｔ５４が発生するのは、「第２バッテリ９２が使用可、かつ第１ラッチ７１が閉、かつ第２ラッチ７２が閉」で、第１バッテリ９１の脱離および装着が無く、使用可能な第２バッテリ９２の脱離の可能性が無いことから、第２バッテリ９２のみの放電により電子機器１への電力供給が継続できるからである。
【００５９】
また、状態Ｓ５において、電力制御部２２１が、バッテリ接続検出部１９４の検出結果に基づいて、「第１バッテリ９１の脱離または装着」を検出した場合には、状態Ｓ５を維持する（遷移Ｔ５５）。ここで、遷移Ｔ５５が発生するのは、「第１バッテリ９１の脱離または装着」で、第１バッテリ９１が使用不可となったり、使用不可の第１バッテリ９１が装着されたりする可能性があり、放電するバッテリを切り換える必要がないためである。
【００６０】
また、状態Ｓ５において、電力制御部２２１が、バッテリ残量検出部１９５、ラッチ開閉検出部１７０、および、バッテリ接続検出部１９４の検出結果に基づいて、「第２バッテリ９２が脱離、かつ第１バッテリ９１が使用不可である」と判断すると、遷移Ｔ５３が発生し、状態Ｓ５から状態Ｓ３「内蔵バッテリ放電」に遷移する。ここでは、遷移Ｔ５３が発生するのは、「第２バッテリ９２が脱離、かつ第１バッテリ９１が使用不可」で、第１バッテリ９１および第２バッテリ９２が、いずれも電子機器１に電力を供給できない状態となるからであり、放電は内蔵バッテリ９３のみとなる。
【００６１】
以上のようにして、電力制御部２２１は、バッテリ残量検出部１９５、ラッチ開閉検出部１７０、および、バッテリ接続検出部１９４の検出結果に基づいて、第１スイッチ２１１および第２スイッチ２１２を制御する。そうすることで、例えば、第１バッテリ９１と第２バッテリ９２のうち、いずれか一方が使用不可になった場合には、自動的に他方のバッテリからの給電が開始され（遷移Ｔ１４、遷移Ｔ４１）、長時間の連続駆動が可能になる。また、例えば、第１ラッチ７１および第２ラッチ７２の少なくともいずれか一方が開状態になると、自動的に、内蔵バッテリ９３から給電可能な状態になり（遷移Ｔ１２、遷移Ｔ４５）、これによりホットスワップ機能が実現される。
【００６２】
［１−２−６．消費電力低減制御について］
上で述べた第１スイッチ２１１および第２スイッチ２１２に対する制御に加え、電力制御部２２１は、電子機器１の消費電力を低減させる制御を行う。図７は、電力制御部２２１が行う消費電力低減制御のフローチャートである。
【００６３】
電力制御部２２１は、上で述べた第１スイッチ２１１および第２スイッチ２１２に対する制御と並行して、図７に示す処理を反復的に行う。電力制御部２２１は、第２バッテリ９２から給電されているか否かを判断し（ステップＳ１０１）、第２バッテリ９２から給電されている場合には、ＣＰＵ２４１の消費電力を低減させるべく、その動作モードを省電力モードに移行させる（ステップＳ１０２）。具体的には、ＣＰＵ２４１の駆動周波数を低下させればよく、これに限定されない。ここでの、第２バッテリ９２から給電されているか否かの判断は、第１スイッチ２１１が第２バッテリ９２側に設定されているか否かに基づいてなされてよい。図６の状態遷移図における状態Ｓ４等が、第２バッテリ９２のみから給電されている状態に対応する。なお、ステップＳ１０２において、ＣＰＵ２４１を省電力モードに移行させる代わりに（あるいは、加えて）、ディスプレイ３の消費電力を低減させる制御を行ってもよい。
【００６４】
また、電力制御部２２１は、内蔵バッテリ９３から給電されているか否かを判断し（ステップＳ１０３）、内蔵バッテリ９３から給電されている場合には、ＣＰＵ２４１の消費電力を低減させるとともに、表示部（ディスプレイ３）の消費電力を低減させるべく、ディスプレイ制御部２３１を通じてディスプレイ３の表示輝度を低減させる（ステップＳ１０４）。ここでの、内蔵バッテリ９３から給電されているか否かの判断は、第２スイッチ２１２がオンに設定されているか否かに基づいてなされてよい。図６の状態遷移図における状態Ｓ２、状態Ｓ３、状態Ｓ５が、内蔵バッテリ９３から給電されている状態に対応する。なお、ステップＳ１０４においては、ＣＰＵ２４１の消費電力を低減させるか、または、表示部（ディスプレイ３）の消費電力を低減させるか、いずれか一方のみを行ってもよい。
【００６５】
以上のように、電力制御部２２１は、第１バッテリ９１と比較して容量が比較的小さい第２バッテリ９２や内蔵バッテリ９３から電力供給を受けている場合に、電子機器１の消費電力を低減させる制御を行う。そうすることで、電子機器１の動作可能時間をより長くすることが可能である。
【００６６】
［１−３．効果等］
本実施の形態による電子機器１は、第１バッテリ９１、第２バッテリ９２、および、内蔵バッテリ９３の３つのバッテリを搭載可能であり、給電元のバッテリを自動的に適切に切り換えることができるため、長時間の連続駆動が可能である。また、電子機器１は、第１ラッチ７１や第２ラッチ７２が開状態になると、自動的に、内蔵バッテリ９３から給電可能な状態になる。そうすることで、所謂ホットスワップ（Ｈｏｔ  Ｓｗａｐ）機能が実現される。
【００６７】
以上のように、本出願において開示する技術の例示として、第１の実施の形態を説明した。しかしながら、本開示における技術は、これに限定されず、適宜、変更、置き換え、付加、省略などを行った実施の形態にも適用可能である。
【００６８】
第１の実施の形態では、電子機器１は、第１バッテリ９１、第２バッテリ９２、および、内蔵バッテリ９３の３つのバッテリを搭載可能であるとして説明した。しかしながら、搭載可能なバッテリの数は、３つに限定されない。電子機器１は、３またはそれ以上のバッテリを搭載することも可能である。
【００６９】
第１の実施の形態では、電力制御部２２１は、ＥＣマイコンであるとして説明した。電力制御部２２１は、ＬＥＤ８の点灯および消灯を制御するものであればよい。
【００７０】
第１の実施の形態では、電子機器１は、バッテリ接続検出部１９４を有するものとして説明した。しかしながら、バッテリ接続検出部１９４は、電子機器１にとって必ずしも必須の構成ではない。なぜなら、少なくともバッテリが使用可能か否かの判断については、バッテリの装着の有無を考慮せずとも、第１の実施の形態と同様の結果が得られるからである。バッテリが装着されていない場合、バッテリ残量検出部１９５の検出結果は、残量ゼロを示す。したがって、バッテリ残量検出部１９５の検出結果のみを用いて、バッテリが使用可能か否かの判断を行ったとしても、第１の実施の形態において説明した場合と同じ結果が得られる。
【００７１】
以上のように、本開示における技術の例示として、実施の形態を説明した。そのために、添付図面および詳細な説明を提供した。
【００７２】
したがって、添付図面および詳細な説明に記載された構成要素の中には、課題解決のために必須な構成要素だけでなく、上記技術を例示するために、あるいは課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７３】
また、上述の実施の形態は、本開示における技術を例示するためのものであるから、請求の範囲またはその均等の範囲において種々の変更、置き換え、付加、省略などを行うことができる。
【００７４】
このように、本開示は、バッテリ駆動可能な電子機器に適用可能である。
【符号の説明】
【００７５】
１    電子機器
２    本体
３    ディスプレイ
４    キーボード
５    ポインティングデバイス
８    発光ダイオード
７１    第１ラッチ
７２    第２ラッチ
９１    第１バッテリ
９２    第２バッテリ
９３    内蔵バッテリ
１７０    ラッチ開閉検出部
１９１    第１バッテリ装着部
１９２    第２バッテリ装着部
１９４    バッテリ接続検出部
１９５    バッテリ残量検出部
２０１    ダイオード
２０２    ダイオード
２０３    ダイオード
２１１    第１スイッチ
２１２    第２スイッチ
２２１    電力制御部
２３１    ディスプレイ制御部
２４１    中央演算処理部（ＣＰＵ）
２５１    ＬＥＤ制御部
【図１】
2016113809.tif 000003
【図２】
2016113809.tif 000004
【図３Ａ】
2016113809.tif 000005
【図３Ｂ】
2016113809.tif 000006
【図４Ａ】
2016113809.tif 000007
【図４Ｂ】
2016113809.tif 000008
【図５】
2016113809.tif 000009
【図６】
2016113809.tif 000010
【図７】
2016113809.tif 000011
【手続補正書】
【提出日】平成29年7月6日(2017.7.6)
【手続補正１】
【補正対象書類名】明細書
【補正対象項目名】全文
【補正方法】変更
【補正の内容】
【発明の詳細な説明】
【技術分野】
【０００１】
本開示は、バッテリ駆動可能な電子機器に関する。
【背景技術】
【０００２】
特許文献１は、２つのバッテリを搭載可能な無線通信装置を開示する。この無線通信装置は、着脱可能な第２のバッテリが脱離した場合、内蔵する第１のバッテリからの電力を受けて所定の動作モードで動作する。
【０００３】
特許文献２は、２つの着脱容易なバッテリを接続可能な情報処理装置を開示する。この情報処理装置は、２つのバッテリそれぞれの収納部に設けられた２つの蓋部の開閉を検出し、検出結果に基づいて、電力供給を受けるバッテリを切り換える。
【先行技術文献】
【特許文献】
【０００４】
【特許文献１】特開２０１０−１３０２５８号公報
【特許文献２】特開２００９−２６８３４１号公報
【発明の概要】
【０００５】
本開示における電子機器は、バッテリから供給される電力により動作可能な電子機器であって、第１バッテリを脱着可能に装着する第１装着部と、第１バッテリと異なる第２バッテリを脱着可能に装着する第２装着部と、本体に内蔵された内蔵バッテリを設ける。また、第１装着部に装着された第１バッテリと第２装着部に装着された第２バッテリのうちから、自機に電力を供給するバッテリを択一的に選択する第１スイッチと、内蔵バッテリからの自機に対する電力の供給の有無を切り替える第２スイッチを設ける。また、第１装着部に装着された第１バッテリを係止する第１ラッチと、第２装着部に装着された第２バッテリを係止する第２ラッチと、第１ラッチおよび第２ラッチの開閉を検出するラッチ開閉検出部を設ける。さらに、第１バッテリおよび第２バッテリの残量を検出するバッテリ残量検出部と、第１スイッチおよび第２スイッチを制御する電力制御部を有し、電力制御部が、ラッチ開閉検出部、および、バッテリ残量検出部による検出結果に基づいて第１スイッチおよび第２スイッチを制御する。
【０００６】
本開示における電子機器は、複数の、例えば３つの、バッテリを用いて長時間連続して動作することができる。
【図面の簡単な説明】
【０００７】
【図１】図１は、第１の実施の形態における電子機器の斜視図である。
【図２】図２は、第１の実施の形態における電子機器の底面斜視図である。
【図３Ａ】図３Ａは、第１の実施の形態における電子機器の第１バッテリの脱離を説明するための図である。
【図３Ｂ】図３Ｂは、第１の実施の形態における電子機器の第１バッテリの装着を説明するための図である。
【図４Ａ】図４Ａは、第１の実施の形態における電子機器の第２バッテリの脱離を説明するための図である。
【図４Ｂ】図４Ｂは、第１の実施の形態における電子機器の第２バッテリの装着を説明するための図である。
【図５】図５は、第１の実施の形態における電子機器の構成を説明するブロック図である。
【図６】図６は、第１の実施の形態における電子機器の第１スイッチおよび第２スイッチの状態に関する状態遷移図である。
【図７】図７は、第１の実施の形態における電子機器の消費電力低減制御に関する処理のフローチャートである。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者らは、当業者が本開示を十分に理解するために添付図面および以下の説明を提供するのであって、これらによって特許請求の範囲に記載の主題を限定することを意図するものではない。
【００１０】
（第１の実施の形態）
以下、図１〜図７を用いて、第１の実施の形態を説明する。
【００１１】
［１−１．構成］
図１は、第１の実施の形態における電子機器の斜視図である。電子機器１は、所謂、パーソナルコンピュータである。同図に示されるように、パーソナルコンピュータである電子機器１は、本体２と、本体２の端部に回動自在に接続された表示部であるディスプレイ３と、本体２の上面に設けられたキーボード４およびポインティングデバイス５を有する。電子機器１は、図示しない記憶部を備える。この記憶部は、オペレーティングシステムや様々なアプリケーションソフトウェアのプログラムを格納している。電子機器１は、オペレーティングシステムやアプリケーションソフトウェアのプログラムを実行することで、利用者に様々な機能を提供することができる。
【００１２】
図２は、第１の実施の形態における電子機器の裏面の構成を示す斜視図である。電子機器１は、その側部に設けられた２つのスロットに第１バッテリ９１と第２バッテリ９２とを着脱可能に装着することができる。第１バッテリ９１および第２バッテリ９２はともに二次電池であり、装着および脱離が容易な構成となっている。なお、後述するように、電子機器１は、さらに、内蔵型の二次電池（内蔵バッテリ）を本体２内部に備える。つまり、電子機器１は、２つの脱着可能な二次電池と、内蔵型の二次電池との３つの二次電池を搭載することが可能である。
【００１３】
図２に示すように、電子機器１の裏面ほぼ中央部には、第１ラッチ７１、１つの発光ダイオード（ＬＥＤ）８、第２ラッチ７２が配置されている。第１ラッチ７１は、装着された第１バッテリ９１を本体２に係止する。第２ラッチ７２は、装着された第２バッテリ９２を本体２に係止する。第１ラッチ７１および第２ラッチ７２は、本体２の内部でバネ等の部材により付勢されており、利用者が第１ラッチ７１や第２ラッチ７２を開放する方向に力を加えない限り、第１ラッチ７１および第２ラッチ７２は閉状態を維持するように構成されている。ＬＥＤ８は、利用者に対し、第１バッテリ９１、および、第２バッテリ９２の少なくともいずれか一方を電子機器１の動作中に取り外して換装することができるか否かを通知するための発光素子である。すなわち、ＬＥＤ８は、利用者に対し、所謂ホットスワップ（Ｈｏｔ  Ｓｗａｐ）機能を利用できるか否かを通知するための発光素子である。
【００１４】
図３Ａは、第１の実施の形態における電子機器の第１バッテリ９１の脱離方法を説明する図である。第１バッテリ９１を電子機器１から脱離する場合、利用者は、第１ラッチ７１を矢印Ａ方向にスライドさせて第１ラッチ７１を開状態に維持しつつ第１バッテリ９１を本体２から矢印Ｂ方向に引き出すことにより、第１バッテリ９１を電子機器１から簡単に脱離することができる。
【００１５】
図３Ｂは、第１の実施の形態による電子機器の第１バッテリ９１の装着方法を説明する図である。第１バッテリ９１を電子機器１に装着する場合、利用者は、第１バッテリ９１を電子機器１の側部のスロットに矢印Ｃ方向に挿入することにより、第１バッテリ９１を電子機器１に簡単に装着することができる。
【００１６】
図４Ａは、第１の実施の形態による電子機器の第２バッテリ９２の脱離方法を説明する図である。第２バッテリ９２を電子機器１から脱離する場合、利用者は、第２ラッチ７２を矢印Ｄ方向にスライドさせて第２ラッチ７２を開状態に維持しつつ第２バッテリ９２を矢印Ｅ方向に引き出すことにより、第２バッテリ９２を電子機器１から簡単に脱離することができる。
【００１７】
図４Ｂは、第１の実施の形態による電子機器の第２バッテリ９２の装着方法を説明する図である。第２バッテリ９２を電子機器１に装着する場合、利用者は、第２バッテリ９２を電子機器１の側部のスロットに矢印Ｆ方向に挿入することにより、第２バッテリ９２を簡単に電子機器１に装着することができる。
【００１８】
図５は、第１の実施の形態による電子機器の構成を示すブロック図である。電子機器１は、自機のための電源として、ＡＣアダプタ９９、第１バッテリ装着部１９１に装着される第１バッテリ９１、第２バッテリ装着部１９２に装着される第２バッテリ９２、内蔵バッテリ９３を利用することが可能である。
【００１９】
第１バッテリ９１は、例えば、出力４５Ｗｈの二次電池である。第１バッテリ９１は、電子機器１がバッテリで駆動する際に優先的に使用される主バッテリである。第１バッテリ９１は、第１スイッチ２１１およびダイオード２０２を介して電力制御部２２１を含む負荷と接続されている。電子機器１は、第１スイッチ２１１を第１バッテリ９１側に設定することにより、第１バッテリ９１が保持する電力を利用することができる。
【００２０】
第２バッテリ９２は、例えば、出力３３Ｗｈの二次電池である。第２バッテリ９２は、第１バッテリ９１が使用できない場合等に使用される副バッテリである。第２バッテリ９２は、第１スイッチ２１１およびダイオード２０２を介して電力制御部２２１を含む負荷と接続されている。電子機器１は、第１スイッチ２１１を第２バッテリ９２側に設定することにより、第２バッテリ９２が保持する電力を利用することができる。
【００２１】
内蔵バッテリ９３は、例えば、出力７Ｗｈの二次電池である。内蔵バッテリ９３は、電子機器１の動作中に第１バッテリ９１や第２バッテリ９２を交換して装着する機能（ホットスワップ機能）を実現するためのブリッジバッテリである。内蔵バッテリ９３は、第２スイッチ２１２およびダイオード２０３を介して電力制御部２２１を含む負荷と接続されている。電子機器１は、第２スイッチ２１２をオンに設定することにより、内蔵バッテリ９３が保持する電力を利用することができる。なお、本実施の形態では、内蔵バッテリ９３は、本体からの取り外しが容易でない構成となっているが、内蔵バッテリ９３を本体から着脱可能な構成としてもよい。
【００２２】
ここで、ダイオード２０２とダイオード２０３とは、負荷に対して並列に接続されている。このような構成により、電子機器１がバッテリで動作する場合、ダイオード２０２およびダイオード２０３のうちでより高電位である側から負荷に対し電力が供給される。
【００２３】
バッテリ残量検出部１９５は、第１バッテリ９１および第２バッテリ９２それぞれの出力電圧を測定し、測定結果に基づいて、第１バッテリ９１および第２バッテリ９２それぞれの残量を検出する。バッテリ残量検出部１９５の検出結果は、電力制御部２２１へ送られる。なお、本実施の形態では、一つのバッテリ残量検出部１９５にて第１バッテリ９１および第２バッテリ９２の残量を検出しているが、第１バッテリ９１、第２バッテリ９２それぞれの残量を検出するバッテリ残量検出部１９５を複数設ける構成とすることも可能である。
【００２４】
ラッチ開閉検出部１７０は、第１ラッチ７１（図３Ａ参照）および第２ラッチ７２（図４Ａ参照）それぞれの開閉状態を検出する。ラッチ開閉検出部１７０の検出結果は、電力制御部２２１へ送られる。なお、本実施の形態において、開閉状態の検出方法に特に限定はない。なお、本実施の形態では、一つのラッチ開閉検出部１７０にて第１ラッチ７１および第２ラッチ７２の開閉状態を検出しているが、第１ラッチ７１、第２ラッチ７２それぞれの開閉状態を検出するためのラッチ開閉検出部１７０を複数設けてもよい。
【００２５】
なお、第１ラッチ７１が開状態であるということは、第１ラッチ７１を図３Ａに示す矢印Ａ方向にスライドさせた状態であり、第１バッテリ装着部１９１に対して第１バッテリ９１が着脱自在の状態にあるということである。第１ラッチ７１が閉状態であるということは、第１ラッチ７１に力が加えられていない状態であり、第１バッテリ装着部１９１に対して第１バッテリ９１は着脱不可の状態、少なくとも脱離は不可能な状態にあるということである。同様に、第２ラッチ７２が開状態であるということは、第２ラッチ７２を図４Ａに示す矢印Ｄ方向にスライドさせた状態であり、第２バッテリ装着部１９２に対して第２バッテリ９２が着脱自在の状態にあるということである。第２ラッチ７２が閉状態であるということは、第２ラッチ７２に力が加えられていない状態であり、第２バッテリ装着部１９２に対して第２バッテリ９２は着脱不可の状態、少なくとも脱離は不可能な状態にあるということである。
【００２６】
バッテリ接続検出部１９４は、第１バッテリ装着部１９１に第１バッテリ９１が装着されているか否かを検出するとともに、第２バッテリ装着部１９２に第２バッテリ９２が装着されているか否かを検出する。バッテリ接続検出部１９４の検出結果は、電力制御部２２１へ送られる。なお、本実施の形態において、接続の有無の検出方法に特に限定はない。なお、本実施の形態では、一つのバッテリ接続検出部１９４にて、第１バッテリ９１および第２バッテリ９２が装着されているか否かを、それぞれ検出している。しかし、第１バッテリ９１、第２バッテリ９２それぞれの装着を検出するバッテリ接続検出部１９４を複数設けてもよい。
【００２７】
電力制御部２２１は、電子機器１の電力制御を司るプロセッサである。電力制御部２２１は、例えば、ＥＣ（エンベデッドコントローラ（Ｅｍｂｅｄｄｅｄ  Ｃｏｎｔｒｏｌｌｅｒ））マイコンである。但し、電力制御部２２１は、ＥＣマイコンに限定されない。電力制御部２２１は、第１バッテリ９１等から供給される電力を受け、それを電子機器１の各部へ供給する。
【００２８】
併せて電力制御部２２１は、バッテリ残量検出部１９５、ラッチ開閉検出部１７０、および、バッテリ接続検出部１９４それぞれが出力する検出結果に基づいて、第１スイッチ２１１および第２スイッチ２１２を制御する。そうすることで、電力制御部２２１は、電力の供給元を第１バッテリ９１、第２バッテリ９２、および、内蔵バッテリ９３の間で切り換えることができる。後述するように、電力制御部２２１による第１スイッチ２１１および第２スイッチ２１２の制御は、電子機器１動作中におけるバッテリ交換（ホットスワップ（Ｈｏｔ  Ｓｗａｐ）機能）を可能にするとともに、電力供給元を主バッテリである第１バッテリ９１から副バッテリである第２バッテリ９２に自動的に切り換える機能を実現する。
【００２９】
また、電力制御部２２１は、後で図７を参照して詳述するように、表示部であるディスプレイ３およびそれを制御するディスプレイ制御部２３１や、中央演算処理部（ＣＰＵ２４１）の電力制御をすることができる。
【００３０】
また、電力制御部２２１は、バッテリ残量検出部１９５、ラッチ開閉検出部１７０、および、バッテリ接続検出部１９４それぞれの検出結果に基づいて、ＬＥＤ制御部２５１を制御することにより、ＬＥＤ８（図２参照）の点灯／消灯および発光色を制御する。
【００３１】
ディスプレイ制御部２３１は、電力制御部２２１およびＣＰＵ２４１の制御下で、ディスプレイ３の電力消費や表示を制御する回路である。
【００３２】
情報表示のための表示部を構成するディスプレイ３は、例えば、液晶ディスプレイである。なお、ディスプレイ３は、液晶ディスプレイに限定されない。
【００３３】
ＣＰＵ２４１は、電子機器１全体を制御する中央演算装置である。ＣＰＵ２４１は、図示しない記憶部に保持されたオペレーティングシステムやアプリケーションソフトウェアのプログラムを実行することにより、様々な機能を利用者に提供する。
【００３４】
ＬＥＤ制御部２５１は、電力制御部２２１の制御下で、本体２の底面に設けたＬＥＤ８の点灯／消灯、および、表示色を制御する回路である。
【００３５】
ＬＥＤ８は、複数色（例えば、赤と緑）で発光可能な発光ダイオードである。
【００３６】
［１−２．動作］
次に、図６の状態遷移図および図７のフローチャートを参照して、電子機器１の動作について説明する。図６は、電力制御部２２１による第１スイッチ２１１および第２スイッチ２１２の制御を説明するための状態遷移図である。図７は、電力制御部２２１によるＣＰＵ２４１およびディスプレイ３に対する消費電力低減制御を説明するためのフローチャートである。図６の状態遷移図に示した状態遷移や図７のフローチャートに示した処理は、電力制御部２２１が所定のプログラムを実行することにより実現される。
【００３７】
［１−２−１．状態Ｓ１について］
図６を参照すれば、先ず状態は、状態Ｓ１「第１バッテリ放電」になる。状態Ｓ１においては、電力制御部２２１は、第１スイッチ２１１を第１バッテリ９１側に制御し、第２スイッチ２１２をオフに制御する。これにより、状態Ｓ１においては、第１バッテリ９１から電子機器１に対し電力が供給される。
【００３８】
なお、電力制御部２２１は、以下に説明する全ての状態において、随時、バッテリ残量検出部１９５、ラッチ開閉検出部１７０、および、バッテリ接続検出部１９４からそれぞれの検出結果を受け取るものとする。
【００３９】
状態Ｓ１において、電力制御部２２１が、バッテリ残量検出部１９５、ラッチ開閉検出部１７０、および、バッテリ接続検出部１９４の検出結果に基づいて、「第１ラッチ７１が開、かつ第２バッテリ９２が使用不可」と判断すると、遷移Ｔ１２が発生し、状態Ｓ１から状態Ｓ２「第１バッテリおよび内蔵バッテリ放電」に遷移する。なお、「第２バッテリ９２が使用不可」とは、以下の２つの場合がある。ひとつは、第２バッテリ９２が第２バッテリ装着部１９２に装着されているがその残量がゼロ（殆どゼロ）（あるいは、第２バッテリの容量に対する第２バッテリの残量の比が所定値以下）という場合である。もうひとつは、第２バッテリ９２が第２バッテリ装着部１９２に装着されていない場合である。電力制御部２２１は、ラッチ開閉検出部１７０の検出結果に基づいて、「第１ラッチ７１が開」であるのか否かを判断し、バッテリ残量検出部１９５およびバッテリ接続検出部１９４の検出結果に基づいて、「第２バッテリ９２が使用不可である」のか否かを判断する。ここで、遷移Ｔ１２が発生するのは、「第１ラッチ７１が開、第２バッテリ９２が使用不可」で、状態Ｓ１で放電していた第１バッテリ９１の脱離の可能性あるいは第１バッテリ９１が使用不可となる可能性があるためである。そして、電子機器１への電力供給が途切れないように第１バッテリ９１の放電に内蔵バッテリ９３の放電が加えられて状態Ｓ２になる。
【００４０】
なお、「バッテリの脱離」とは、バッテリの接続がなされた状態からバッテリの接続が失われた状態への変化を指す。電力制御部２２１は、バッテリ接続検出部１９４の検出結果から「脱離」を検出する。
【００４１】
また、状態Ｓ１において、電力制御部２２１が、ラッチ開閉検出部１７０の検出結果に基づいて、「第２ラッチ７２が開」と判断した場合も、遷移Ｔ１２が発生し、状態Ｓ１から状態Ｓ２に遷移する。ここで、遷移Ｔ１２が発生するのは、「第２ラッチ７２が開」で、第２バッテリ９２の脱離または使用不可の第２バッテリ９２の装着の可能性が発生し、状態Ｓ１で放電していた第１バッテリ９１が使用不可となる可能性があるためである。そして、電子機器１への電力供給が途切れないように第１バッテリ９１の放電に内蔵バッテリ９３の放電が加えられて状態Ｓ２になる。
【００４２】
なお、「バッテリの装着」とは、バッテリが接続されていない状態からバッテリが接続された状態への変化を指す。電力制御部２２１は、バッテリ接続検出部１９４の検出結果から「装着」を検出する。
【００４３】
また、状態Ｓ１において、電力制御部２２１が、バッテリ残量検出部１９５、および、バッテリ接続検出部１９４の検出結果に基づいて、「第１バッテリ９１が使用不可、かつ第２バッテリ９２が使用可」と判断すると、遷移Ｔ１４が発生し、状態Ｓ１から状態Ｓ４「第２バッテリ放電」に遷移する。なお、「第１バッテリ９１が使用不可」とは、以下の２つの場合がある。ひとつは、第１バッテリ９１が第１バッテリ装着部１９１に装着されているがその残量がゼロ（殆どゼロ）（あるいは、第１バッテリの容量に対する第１バッテリの残量の比が所定値以下）という場合である。もうひとつは、第１バッテリ９１が第１バッテリ装着部１９１に装着されていない場合である。また、「第２バッテリ９２が使用可」とは、第２バッテリ９２が第２バッテリ装着部１９２に装着され、かつ第２バッテリ９２の残量がゼロ（殆どゼロ）（あるいは、第２バッテリ９２の容量に対する第２バッテリ９２の残量の比が所定値以下）でない場合を指す。電力制御部２２１は、バッテリ残量検出部１９５およびバッテリ接続検出部１９４の検出結果に基づいて、「第１バッテリ９１が使用不可」であるのか否か、および、「第２バッテリ９２が使用可」であるのか否かを判断する。ここで、遷移Ｔ１４が発生するのは、「第１バッテリ９１が使用不可、かつ第２バッテリ９２が使用可」で、使用不可の第１バッテリ９１の放電から使用可能な第２バッテリ９２の放電に切り換えて電子機器１への電力供給が途切れないようにするためである。
【００４４】
また、状態Ｓ１において、電力制御部２２１が、ラッチ開閉検出部１７０、および、バッテリ接続検出部１９４の検出結果に基づいて、「第１ラッチ７１が開、かつ第２バッテリ９２が使用可」と判断した場合も、遷移Ｔ１４が発生し、状態Ｓ１から状態Ｓ４に遷移する。ここで、遷移Ｔ１４が発生するのは、「第１ラッチが開、かつ第２バッテリ９２が使用可」で、第１バッテリ９１の脱離の可能性が発生し、放電を使用可能な第２バッテリ９２に切り換えて電子機器１への電力供給が途切れないようにするためである。
【００４５】
［１−２−２．状態Ｓ２について］
状態Ｓ２においては、電力制御部２２１は、第１スイッチ２１１を第１バッテリ９１側に制御し、第２スイッチ２１２をオンに制御する。これにより、状態Ｓ２においては、第１バッテリ９１と内蔵バッテリ９３とから電子機器１に電力が供給可能な状態になる。
【００４６】
状態Ｓ２において、電力制御部２２１が、バッテリ残量検出部１９５、ラッチ開閉検出部１７０、および、バッテリ接続検出部１９４の検出結果に基づいて、「第１バッテリ９１が使用可、かつ第１ラッチ７１が閉、かつ第２ラッチ７２が閉」と判断すると、遷移Ｔ２１が発生し、状態Ｓ２から状態Ｓ１に遷移する。なお、「第１バッテリ９１が使用可」とは、第１バッテリ９１が第１バッテリ装着部１９１に装着され、かつ第１バッテリ９１の残量がゼロ（殆どゼロ）（あるいは、第１バッテリ９１の容量に対する第１バッテリ９１の残量の比が所定値以下）でない場合を指す。電力制御部２２１は、バッテリ残量検出部１９５およびバッテリ接続検出部１９４の検出結果に基づいて、「第１バッテリが使用可」であるのか否かを判断する。ここで、遷移Ｔ２１が発生するのは、「第１バッテリ９１が使用可、かつ第１ラッチ７１が閉、かつ第２ラッチ７２が閉」で、第２バッテリ９２の脱離および装着が無く、使用可能な第１バッテリ９１の脱離の可能性が無いことから、第１バッテリ９１のみの放電により電子機器１への電力供給が継続できるからである。
【００４７】
また、状態Ｓ２において、電力制御部２２１が、バッテリ接続検出部１９４の検出結果に基づいて、「第２バッテリ９２の脱離または装着」を検出した場合には、状態Ｓ２を維持する（遷移Ｔ２２）。ここで、遷移Ｔ２２が発生するのは、「第２バッテリ９２の脱離または装着」で、第２バッテリ９２が使用不可となったり、使用不可の第２バッテリ９２が装着されたりする可能性があり、放電するバッテリを切り換える必要がないためである。
【００４８】
また、状態Ｓ２において、電力制御部２２１が、バッテリ残量検出部１９５、ラッチ開閉検出部１７０、および、バッテリ接続検出部１９４の検出結果に基づいて、「第１バッテリ９１が脱離、かつ第２バッテリ９２が使用不可」と判断すると、遷移Ｔ２３が発生し、状態Ｓ２から状態Ｓ３「内蔵バッテリ放電」に遷移する。ここでは、遷移Ｔ２３が発生するのは、「第１バッテリ９１が脱離、かつ第２バッテリ９２が使用不可」で、第１バッテリ９１および第２バッテリ９２が、いずれも電子機器１に電力を供給できない状態となるからであり、放電は内蔵バッテリ９３のみとなる。
【００４９】
［１−２−３．状態Ｓ３について］
状態Ｓ３においては、電力制御部２２１は、第２スイッチ２１２をオンに制御する。なお、第１スイッチ２１１の設定については、任意でよい。これにより、状態Ｓ３においては、内蔵バッテリ９３から電子機器１に電力が供給可能な状態になる。
【００５０】
状態Ｓ３において、電力制御部２２１は、バッテリ接続検出部１９４の検出結果に基づいて、「第１バッテリ９１の装着」を検出した場合、遷移Ｔ３２が発生し、状態Ｓ３から状態Ｓ２に遷移する。ここでは、遷移Ｔ３２が発生するのは、「第１バッテリ９１が装着」で、第１バッテリ９１の装着が確認されたものの、第１バッテリ９１が使用可であるのか使用不可であるのか確定されていないためであり、第１バッテリ９１と内蔵バッテリ９３による放電を行う。
【００５１】
また、状態Ｓ３において、電力制御部２２１は、バッテリ接続検出部１９４の検出結果に基づいて、「第２バッテリ９２の装着」を検出した場合、遷移Ｔ３５が発生し、状態Ｓ３から状態Ｓ５「第２バッテリおよび内蔵バッテリ放電」に遷移する。ここでは、遷移Ｔ３５が発生するのは、「第２バッテリ９２が装着」で、第２バッテリ９２の装着が確認されたものの、第２バッテリ９２が使用可であるのか使用不可であるのか確定されていないためであり、第２バッテリ９２と内蔵バッテリ９３による放電を行う。
【００５２】
［１−２−４．状態Ｓ４について］
状態Ｓ４においては、電力制御部２２１は、第１スイッチ２１１を第２バッテリ９２側に制御し、第２スイッチ２１２をオフに制御する。これにより、状態Ｓ４においては、第２バッテリ９２から電子機器１に対し電力が供給される。
【００５３】
状態Ｓ４において、電力制御部２２１が、バッテリ残量検出部１９５、および、バッテリ接続検出部１９４の検出結果に基づいて、「第１バッテリ９１が使用可、かつ第２バッテリ９２が使用不可」と判断すると、遷移Ｔ４１が発生し、状態Ｓ４から状態Ｓ１に遷移する。ここで、遷移Ｔ４１が発生するのは、「第１バッテリ９１が使用可、かつ第２バッテリ９２が使用不可」使用不可の第２バッテリ９２の放電から使用可能な第１バッテリ９１の放電に切り換えて電子機器１への電力供給が途切れないようにするためである。
【００５４】
また、状態Ｓ４において、電力制御部２２１が、バッテリ残量検出部１９５、ラッチ開閉検出部１７０、および、バッテリ接続検出部１９４の検出結果に基づいて、「第１バッテリ９１が使用可、かつ第１ラッチ７１が閉」と判断すると、遷移Ｔ４１が発生し、状態Ｓ４から状態Ｓ１に遷移する。ここで、遷移Ｔ４１が発生するのは、「第１バッテリ９１が使用可、かつ第１ラッチ７１が閉」で、使用可能な第１バッテリ９１の脱離の可能性が無いことから、主電源である第１バッテリ９１のみの放電により電子機器１への電力供給が継続できるからである。
【００５５】
また、状態Ｓ４において、電力制御部２２１が、ラッチ開閉検出部１７０の検出結果に基づいて、「第１ラッチ７１が開」と判断すると、遷移Ｔ４５が発生し、状態Ｓ４から状態Ｓ５「第２バッテリおよび内蔵バッテリ放電」に遷移する。ここで、遷移Ｔ４５が発生するのは、「第１ラッチ７１が開」で、第１バッテリ９１の脱離、または使用不可の第１バッテリ９１の装着の可能性が発生し、状態Ｓ４で放電していた第２バッテリ９２が使用不可となる可能性があるためである。そして、電子機器１への電力供給が途切れないように第２バッテリ９２の放電に内蔵バッテリ９３の放電が加えられて状態Ｓ５になる。
【００５６】
また、状態Ｓ４において、電力制御部２２１が、ラッチ開閉検出部１７０の検出結果に基づいて、「第２ラッチ７２が開」と判断した場合も、遷移Ｔ４５が発生し、状態Ｓ４から状態Ｓ５に遷移する。ここで、遷移Ｔ４５が発生するのは、「第２ラッチ７２が開」で、状態Ｓ４で放電していた第２バッテリ９２の脱離の可能性あるいは第２バッテリ９２が使用不可となる可能性があるためである。そして、電子機器１への電力供給が途切れないように第２バッテリ９２の放電に内蔵バッテリ９３の放電が加えられて状態Ｓ５になる。
【００５７】
［１−２−５．状態Ｓ５について］
状態Ｓ５においては、電力制御部２２１は、第１スイッチ２１１を第２バッテリ９２側に制御し、第２スイッチ２１２をオンに制御する。これにより、状態Ｓ５においては、第２バッテリ９２と内蔵バッテリ９３とから電子機器１に電力が供給可能な状態になる。
【００５８】
状態Ｓ５において、電力制御部２２１が、バッテリ残量検出部１９５、ラッチ開閉検出部１７０、および、バッテリ接続検出部１９４の検出結果に基づいて、「第２バッテリ９２が使用可、かつ第１ラッチ７１が閉、かつ第２ラッチ７２が閉」と判断すると、遷移Ｔ５４が発生し、状態Ｓ５から状態Ｓ４に遷移する。ここで、遷移Ｔ５４が発生するのは、「第２バッテリ９２が使用可、かつ第１ラッチ７１が閉、かつ第２ラッチ７２が閉」で、第１バッテリ９１の脱離および装着が無く、使用可能な第２バッテリ９２の脱離の可能性が無いことから、第２バッテリ９２のみの放電により電子機器１への電力供給が継続できるからである。
【００５９】
また、状態Ｓ５において、電力制御部２２１が、バッテリ接続検出部１９４の検出結果に基づいて、「第１バッテリ９１の脱離または装着」を検出した場合には、状態Ｓ５を維持する（遷移Ｔ５５）。ここで、遷移Ｔ５５が発生するのは、「第１バッテリ９１の脱離または装着」で、第１バッテリ９１が使用不可となったり、使用不可の第１バッテリ９１が装着されたりする可能性があり、放電するバッテリを切り換える必要がないためである。
【００６０】
また、状態Ｓ５において、電力制御部２２１が、バッテリ残量検出部１９５、ラッチ開閉検出部１７０、および、バッテリ接続検出部１９４の検出結果に基づいて、「第２バッテリ９２が脱離、かつ第１バッテリ９１が使用不可である」と判断すると、遷移Ｔ５３が発生し、状態Ｓ５から状態Ｓ３「内蔵バッテリ放電」に遷移する。ここでは、遷移Ｔ５３が発生するのは、「第２バッテリ９２が脱離、かつ第１バッテリ９１が使用不可」で、第１バッテリ９１および第２バッテリ９２が、いずれも電子機器１に電力を供給できない状態となるからであり、放電は内蔵バッテリ９３のみとなる。
【００６１】
以上のようにして、電力制御部２２１は、バッテリ残量検出部１９５、ラッチ開閉検出部１７０、および、バッテリ接続検出部１９４の検出結果に基づいて、第１スイッチ２１１および第２スイッチ２１２を制御する。そうすることで、例えば、第１バッテリ９１と第２バッテリ９２のうち、いずれか一方が使用不可になった場合には、自動的に他方のバッテリからの給電が開始され（遷移Ｔ１４、遷移Ｔ４１）、長時間の連続駆動が可能になる。また、例えば、第１ラッチ７１および第２ラッチ７２の少なくともいずれか一方が開状態になると、自動的に、内蔵バッテリ９３から給電可能な状態になり（遷移Ｔ１２、遷移Ｔ４５）、これによりホットスワップ機能が実現される。
【００６２】
［１−２−６．消費電力低減制御について］
上で述べた第１スイッチ２１１および第２スイッチ２１２に対する制御に加え、電力制御部２２１は、電子機器１の消費電力を低減させる制御を行う。図７は、電力制御部２２１が行う消費電力低減制御のフローチャートである。
【００６３】
電力制御部２２１は、上で述べた第１スイッチ２１１および第２スイッチ２１２に対する制御と並行して、図７に示す処理を反復的に行う。電力制御部２２１は、第２バッテリ９２から給電されているか否かを判断し（ステップＳ１０１）、第２バッテリ９２から給電されている場合には、ＣＰＵ２４１の消費電力を低減させるべく、その動作モードを省電力モードに移行させる（ステップＳ１０２）。具体的には、ＣＰＵ２４１の駆動周波数を低下させればよく、これに限定されない。ここでの、第２バッテリ９２から給電されているか否かの判断は、第１スイッチ２１１が第２バッテリ９２側に設定されているか否かに基づいてなされてよい。図６の状態遷移図における状態Ｓ４等が、第２バッテリ９２のみから給電されている状態に対応する。なお、ステップＳ１０２において、ＣＰＵ２４１を省電力モードに移行させる代わりに（あるいは、加えて）、ディスプレイ３の消費電力を低減させる制御を行ってもよい。
【００６４】
また、電力制御部２２１は、内蔵バッテリ９３から給電されているか否かを判断し（ステップＳ１０３）、内蔵バッテリ９３から給電されている場合には、ＣＰＵ２４１の消費電力を低減させるとともに、表示部（ディスプレイ３）の消費電力を低減させるべく、ディスプレイ制御部２３１を通じてディスプレイ３の表示輝度を低減させる（ステップＳ１０４）。ここでの、内蔵バッテリ９３から給電されているか否かの判断は、第２スイッチ２１２がオンに設定されているか否かに基づいてなされてよい。図６の状態遷移図における状態Ｓ２、状態Ｓ３、状態Ｓ５が、内蔵バッテリ９３から給電されている状態に対応する。なお、ステップＳ１０４においては、ＣＰＵ２４１の消費電力を低減させるか、または、表示部（ディスプレイ３）の消費電力を低減させるか、いずれか一方のみを行ってもよい。
【００６５】
以上のように、電力制御部２２１は、第１バッテリ９１と比較して容量が比較的小さい第２バッテリ９２や内蔵バッテリ９３から電力供給を受けている場合に、電子機器１の消費電力を低減させる制御を行う。そうすることで、電子機器１の動作可能時間をより長くすることが可能である。
【００６６】
［１−３．効果等］
本実施の形態による電子機器１は、第１バッテリ９１、第２バッテリ９２、および、内蔵バッテリ９３の３つのバッテリを搭載可能であり、給電元のバッテリを自動的に適切に切り換えることができるため、長時間の連続駆動が可能である。また、電子機器１は、第１ラッチ７１や第２ラッチ７２が開状態になると、自動的に、内蔵バッテリ９３から給電可能な状態になる。そうすることで、所謂ホットスワップ（Ｈｏｔ  Ｓｗａｐ）機能が実現される。
【００６７】
以上のように、本出願において開示する技術の例示として、第１の実施の形態を説明した。しかしながら、本開示における技術は、これに限定されず、適宜、変更、置き換え、付加、省略などを行った実施の形態にも適用可能である。
【００６８】
第１の実施の形態では、電子機器１は、第１バッテリ９１、第２バッテリ９２、および、内蔵バッテリ９３の３つのバッテリを搭載可能であるとして説明した。しかしながら、搭載可能なバッテリの数は、３つに限定されない。電子機器１は、３またはそれ以上のバッテリを搭載することも可能である。
【００６９】
第１の実施の形態では、電力制御部２２１は、ＥＣマイコンであるとして説明した。電力制御部２２１は、ＬＥＤ８の点灯および消灯を制御するものであればよい。
【００７０】
第１の実施の形態では、電子機器１は、バッテリ接続検出部１９４を有するものとして説明した。しかしながら、バッテリ接続検出部１９４は、電子機器１にとって必ずしも必須の構成ではない。なぜなら、少なくともバッテリが使用可能か否かの判断については、バッテリの装着の有無を考慮せずとも、第１の実施の形態と同様の結果が得られるからである。バッテリが装着されていない場合、バッテリ残量検出部１９５の検出結果は、残量ゼロを示す。したがって、バッテリ残量検出部１９５の検出結果のみを用いて、バッテリが使用可能か否かの判断を行ったとしても、第１の実施の形態において説明した場合と同じ結果が得られる。
【００７１】
以上のように、本開示における技術の例示として、実施の形態を説明した。そのために、添付図面および詳細な説明を提供した。
【００７２】
したがって、添付図面および詳細な説明に記載された構成要素の中には、課題解決のために必須な構成要素だけでなく、上記技術を例示するために、あるいは課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７３】
また、上述の実施の形態は、本開示における技術を例示するためのものであるから、特許請求の範囲またはその均等の範囲において種々の変更、置き換え、付加、省略などを行うことができる。
【００７４】
このように、本開示は、バッテリ駆動可能な電子機器に適用可能である。
【符号の説明】
【００７５】
１    電子機器
２    本体
３    ディスプレイ
４    キーボード
５    ポインティングデバイス
８    発光ダイオード
７１    第１ラッチ
７２    第２ラッチ
９１    第１バッテリ
９２    第２バッテリ
９３    内蔵バッテリ
１７０    ラッチ開閉検出部
１９１    第１バッテリ装着部
１９２    第２バッテリ装着部
１９４    バッテリ接続検出部
１９５    バッテリ残量検出部
２０１    ダイオード
２０２    ダイオード
２０３    ダイオード
２１１    第１スイッチ
２１２    第２スイッチ
２２１    電力制御部
２３１    ディスプレイ制御部
２４１    中央演算処理部（ＣＰＵ）
２５１    ＬＥＤ制御部
【手続補正２】
【補正対象書類名】特許請求の範囲
【補正対象項目名】全文
【補正方法】変更
【補正の内容】
【特許請求の範囲】
【請求項１】
バッテリから供給される電力により動作可能な電子機器であって、
第１バッテリを脱着可能に装着する第１装着部と、
前記第１バッテリと異なる第２バッテリを脱着可能に装着する第２装着部と、
本体に内蔵された内蔵バッテリと、
前記第１装着部に装着された前記第１バッテリと前記第２装着部に装着された前記第２バッテリのうちから、自機に電力を供給するバッテリを択一的に選択する第１スイッチと、
前記内蔵バッテリからの前記自機に対する電力の供給の有無を切り替える第２スイッチと、
前記第１装着部に装着された前記第１バッテリを係止する第１ラッチと、
前記第２装着部に装着された前記第２バッテリを係止する第２ラッチと、
前記第１ラッチおよび前記第２ラッチの開閉を検出するラッチ開閉検出部と、
前記第１バッテリおよび前記第２バッテリの残量を検出するバッテリ残量検出部と、
前記第１スイッチおよび前記第２スイッチを制御する電力制御部と、を有し、
前記電力制御部は、前記ラッチ開閉検出部、および、前記バッテリ残量検出部による検出結果に基づいて前記第１スイッチおよび前記第２スイッチを制御する、ことを特徴とする電子機器。
【請求項２】
前記電力制御部は、前記ラッチ開閉検出部が前記第１ラッチおよび前記第２ラッチの少なくともいずれか一方の開放を検出すると、前記内蔵バッテリが電力を自機に供給可能なように前記第２スイッチを制御するとともに、前記バッテリ残量検出部による検出結果に基づいて前記第１バッテリおよび前記第２バッテリのうち電力供給可能なバッテリから自機に電力が供給されるように前記第１スイッチを制御する、ことを特徴とする請求項１に記載の電子機器。
【請求項３】
前記電力制御部は、
前記バッテリ残量検出部が前記第１バッテリの容量に対する前記第１バッテリの残量の比が所定値よりも大きいことを検出した場合に、前記第１バッテリから自機に電力を供給可能であると判断し、
前記バッテリ残量検出部が前記第２バッテリの容量に対する前記第２バッテリの残量の比が所定値よりも大きいことを検出した場合に、前記第２バッテリから自機に電力を供給可能であると判断する、ことを特徴とする請求項２に記載の電子機器。
【請求項４】
前記電力制御部は、前記バッテリ残量検出部による検出結果が前記第２バッテリから自機に電力供給可能であることを示している場合において、前記ラッチ開閉検出部が前記第１ラッチの開放を検出すると、前記第２バッテリが電力を自機に供給可能なように前記第１スイッチを制御する、ことを特徴とする請求項１に記載の電子機器。
【請求項５】
前記電力制御部は、
前記バッテリ残量検出部が前記第２バッテリの残量の前記第２バッテリの容量に対する比が所定値よりも大きいことを検出した場合に、前記第２バッテリから自機に電力を供給可能であると判断する、ことを特徴とする請求項４に記載の電子機器。
【請求項６】
さらに、前記第１バッテリおよび前記第２バッテリの前記第１装着部および前記第２装着部に対する装着の有無を検出するバッテリ接続検出部を有し、
前記内蔵バッテリが電力を自機に供給可能なように前記第２スイッチが制御されている状態において、
前記バッテリ接続検出部による検出結果が、前記第１バッテリが前記第１バッテリ装着部に装着されたことを示すと、前記電力制御部は、前記第１バッテリが電力を自機に供給可能なように前記第１スイッチを制御し、
前記バッテリ接続検出部による検出結果が、前記第２バッテリが前記第２バッテリ装着部に装着されたことを示すと、前記電力制御部は、前記第２バッテリが電力を自機に供給可能なように前記第１スイッチを制御する、ことを特徴とする請求項１に記載の電子機器。
【請求項７】
さらに、自機の動作を制御する中央演算処理部を有し、
前記第２バッテリが供給可能な電力は、前記第１バッテリが供給可能な電力よりも小さく、
前記第２バッテリから電力が供給されているときには、前記電力制御部は、前記中央演算処理部による電力消費が低減されるように前記中央演算処理部を制御する、ことを特徴とする請求項１から６のいずれか１項に記載の電子機器。
【請求項８】
さらに、自機の動作を制御する中央演算処理部と、
情報を表示する表示部と、を有し、
前記内蔵バッテリから電力が供給されているときには、前記電力制御部は、前記中央演算処理部および前記表示部の少なくともいずれか一方による電力消費が低減されるように前記中央演算処理部および前記表示部を制御する、ことを特徴とする請求項１から６のいずれか１項に記載の電子機器。
【請求項９】
さらに、情報を表示する表示部を有し、
前記内蔵バッテリから電力が供給されているときには、前記電力制御部は、前記中央演算処理部および前記表示部の少なくともいずれか一方による電力消費が低減されるように前記中央演算処理部および前記表示部を制御する、ことを特徴とする請求項７に記載の電子機器。
【手続補正３】
【補正対象書類名】図面
【補正対象項目名】全図
【補正方法】変更
【補正の内容】
【図１】
2016113809.tif 000012
【図２】
2016113809.tif 000013
【図３Ａ】
2016113809.tif 000014
【図３Ｂ】
2016113809.tif 000015
【図４Ａ】
2016113809.tif 000016
【図４Ｂ】
2016113809.tif 000017
【図５】
2016113809.tif 000018
【図６】
2016113809.tif 000019
【図７】
2016113809.tif 000020
【国際調査報告】
2016113809.tif 000021
2016113809.tif 000022
2016113809.tif 000023
2016113809.tif 000024